(57)【要約】【課題】水位の変動が大きい沈殿池であっても、スカム流入口へのスカムおよび水の流入量を一定に保持し、スカムを安定して排出する。【解決手段】スカム回収装置は、掻寄板が進行してくる方向へスカム流入口４１が向くように傾動可能に支持されたスカム回収機構４０と、スカム流入口４１の高さ位置を沈殿池の水位の変動に応じて上下に変位させる堰用フロート４７と、堰用フロート４７を上方より押してスカム流入口４１を傾ける押圧部材５２を有しスカム回収機構４０の上方位置で上下動可能に支持されている可動ガイド５０と、押圧部材５２により堰用フロート４７が押されてスカム流入口４１が傾くまで可動ガイド５０を押し下げた状態でガイド面５１上を転動する押下ローラ２２と、押下ローラ２２を水位の変動に応じて上下に変位させる支持アーム用フロートとを備える。【選択図】図６
2008049224.tif 000002
【特許請求の範囲】
【請求項１】
沈殿池内を周回する支持アームと、前記支持アームと一体に水面上を周回する掻寄板とを有し、前記掻寄板により掻き寄せられたスカムを掻寄板の通過路上に配置されたスカム流入口へ導入するようにしたスカム回収装置において、
上方を向きかつ平時は水面上に保持されるスカム流入口を有し、前記掻寄板が進行してくる方向へ前記スカム流入口が向くように傾動可能に支持されたスカム回収機構と、
前記支持アームに取り付けられ、支持アームの先端部を沈殿池の水位の変動に応じて上下に変位させる支持アーム用フロートと、
水平なガイド面と下方へ突き出た押圧部材とを有し、前記ガイド面が水平を保った状態で前記スカム回収機構の上方に上下動可能に支持されている可動ガイドと、
前記掻寄板の進行方向の前方位置に、沈殿池の水位に追随する前記支持アームの先端部によって支持され、前記押圧部材によりスカム回収機構が押されて傾動するまで前記可動ガイドを押し下げた状態でガイド面上を転動する押下ローラとを備えており、
前記可動ガイドは、掻寄板がスカム流入口の手前位置に来たときスカム回収機構が傾動し、スカム流入口に到達したときスカム回収機構が元の状態に復帰するようにガイド面の長さが設定されて成るスカム回収装置。
【請求項２】
前記スカム回収機構には、バランスウェイトが取り付けられており、前記スカム流入口の高さ位置は、前記バランスウェイトにより水面上に保持されている請求項１に記載されたスカム回収装置。
【請求項３】
前記スカム回収機構には、前記スカム流入口の高さ位置を沈殿池の水位の変動に応じて上下に変位させる堰用フロートが取り付けられている請求項１または２に記載されたスカム回収装置。
【請求項４】
前記可動ガイドは、リンク機構により支持されている請求項１〜３のいずれかに記載されたスカム回収装置。
【請求項５】
請求項１〜４のいずれかに記載されているスカム回収装置であって、
前記支持アームの下方に支持アームと同期して池底を周回するレーキアームを有し、レーキアームと前記押下ローラとの間には押下ローラが前記可動ガイドを押し下げるときに押し戻されないようにするためのロック機構とがさらに備えられているスカム回収装置。
【請求項６】
前記ロック機構は、前記レーキアームに縦設された支柱と、前記支持アームに備えられ、前記支柱を把持してレーキアームと支持アームとを連結固定するチャック機構と、押下ローラが可動ガイドのガイド面を転動する間、前記チャック機構を駆動させるチャック駆動機構とから成る請求項５に記載されたスカム回収装置。
【発明の詳細な説明】
【技術分野】
【０００１】
この発明は、下水処理施設や汚泥処理施設などにおいて、沈殿池の水面付近に浮遊するスカムを掻き寄せて回収するためのスカム回収装置に関する。
【背景技術】
【０００２】
例えば、下水処理施設では、下水から固形物などが除去された後、汚泥を含む処理前の水が沈殿池へ送り込まれる。沈殿池の池底には、沈降した汚泥が堆積するが、この堆積物のうち、腐敗などにより発生するガスを含んだ汚泥がスカムとなって浮上し、水面付近に浮遊する。このスカムなどの浮遊物をスカム回収装置の掻寄せ板により掻き寄せて回収機構により回収する。この回収機構は、掻寄せ板が周回する軌道上に位置させてあり、スカムを回収するためのスカム流入口を有している。スカム流入口には、スカムを排出するための排水管が連通し、スカム流入口で回収されたスカムは排水管を通って外部へ排出される。
【０００３】
ここで、回収機構のスカム流入口の手前に堰が設けられたスカム回収装置が提案されている（例えば特許文献１参照）。スカム流入口の前端側は水面よりも低い位置で開口し、堰は、スカム流入口の手前位置で上下動するように設けられている。スカムが掻寄せ板により回収機構に向けて掻き寄せられると、それに連動して堰が水面より下がり、スカムが被処理水とともにスカム流入口に流入して回収機構に回収される。その後、堰が水面より上がることで堰きとめ状態となる。
【０００４】
【特許文献１】特開平７−３０５３２５号公報
【発明の開示】
【発明が解決しようとする課題】
【０００５】
しかしながら、上記した構成のスカム回収装置では、回収機構は固定されており、スカム流入口の高さ位置が変わらないため、水位の変動が大きい沈殿池では、以下のような問題が生じる。例えば、沈殿池の水位が高くなると、スカムとともに堰を超えて回収機構のスカム流入口内に流入する水の量が多くなりすぎるため、排水管による排水が追いつかず、スカムをスカム回収機構に流入させる流れが得られないため、スカムを回収することができない。また、沈殿池の水位が低くなると、回収機構のスカム流入口内にスカムが殆ど流入せず、多量の回収漏れが生じる。
【０００６】
この発明は、上記した問題に着目してなされたもので、水位の変動が大きい沈殿池であっても、スカム流入口へのスカムおよび水の流入量を一定に保持し、スカムを安定して排出することができるスカム回収装置を提供することを目的とする。
【課題を解決するための手段】
【０００７】
この発明によるスカム回収装置は、沈殿池内を周回する支持アームと、前記支持アームと一体に水面上を周回する掻寄板とを有し、前記掻寄板により掻き寄せられたスカムを掻寄板の通過路上に配置されたスカム流入口へ導入するようにしたものである。
このスカム回収装置は、上方を向きかつ平時は水面上に保持されるスカム流入口を有し、前記掻寄板が進行してくる方向へ前記スカム流入口が向くように傾動可能に支持されたスカム回収機構と、前記支持アームに取り付けられ、支持アームの先端部を沈殿池の水位の変動に応じて上下に変位させる支持アーム用フロートと、水平なガイド面と下方へ突き出た押圧部材とを有し、前記ガイド面が水平を保った状態で前記スカム回収機構の上方に上下動可能に支持されている可動ガイドと、前記掻寄板の進行方向の前方位置に、沈殿池の水位に追随する前記支持アームの先端部によって支持され、前記押圧部材によりスカム回収機構が押されて傾動するまで前記可動ガイドを押し下げた状態でガイド面上を転動する押下ローラとを備えている。前記可動ガイドは、掻寄板がスカム流入口の手前位置に来たときスカム回収機構が傾動し、スカム流入口に到達したときスカム回収機構が元の状態に復帰するようにガイド面の長さが設定されている。
【０００８】
この発明の好ましい一実施態様において、前記可動ガイドは、リンク機構によりガイド面が水平を保った状態でスカム回収機構の上方位置に上下動可能に支持されている。
「スカム回収機構」は、一般的に「スカムスキマ」と呼ばれるスカム回収用の樋状体から成るが、必ずしもそのような形態のものに限られない。また、スカム回収機構のスカム流入口は、例えば、スカム回収機構にバランスウェイトを取り付けることにより、上方を向きその高さ位置が平時は水面上に保持されるため、水およびスカムはスカム回収機構でせき止められる。
【０００９】
この発明のさらに好ましい実施態様においては、前記スカム回収機構には、前記スカム流入口の高さ位置を沈殿池の水位の変動に応じて上下に変位させる堰用フロートが取り付けられている。
【００１０】
この実施態様によるスカム回収装置において、沈殿池内を支持アームと掻寄板が一体に水面上を周回すると、沈殿池の水面付近に浮遊するスカムは支持アームによって外周の掻寄板に導かれる。掻寄板がスカム回収機構のスカム流入口の手前位置に達すると、掻寄板の前方位置に設けられた押下ローラが可動ガイドのガイド面上を転動して可動ガイドを下方に押し下げる。可動ガイドが押し下げられると、それに連動して、可動ガイドの押圧部材がスカム回収機構を下方へ押し付けて、スカム回収機構を掻寄板が進行してくる方向に向けて傾動させる。これにより、スカム流入口のスカム流入側の端部が水面下に没するので、掻寄板前方に掻き寄せられたスカムは水とともにスカム流入口に流入してスカム回収機構に回収される。その後、掻寄板がスカム流入口に到達すると、押下ローラが可動ガイドのガイド面上から転落し、可動ガイドが元の高さ位置まで上昇する。これにより、押圧部材による押圧力が解除されるので、スカム回収機構が元の状態に復帰し、スカム流入口への水の流入が阻止される。
【００１１】
このスカム回収装置によれば、沈殿池の水位が上昇または下降して変化した場合でも、堰用フロートの浮力によりスカム回収機構のスカム流入口の高さ位置が沈殿池の水位の変動に追随して上下に変位するので、スカム流入口を常に水面に対して上方位置に保つことができる。一方、押下ローラは支持アームに取り付けられた支持アーム用フロートの浮力により水位の変動に追随して上下に変位するので、押下ローラによってスカム流入口の流入側の端部の水面下に没する深さがほぼ一定に保たれる。従って、スカム流入口に流入するスカムおよび水の量を一定に保つことができる。
【００１２】
この発明の好ましい一実施態様においては、前記支持アームの下方に支持アームと同期して池底を周回するレーキアームを有し、レーキアームと前記押下ローラとの間には、押下ローラが前記可動ガイドを押し下げるときに押し戻されないようにするためのロック機構がさらに備えられている。
【００１３】
上記した構成において、前記ロック機構には種々の態様のものが考えられるが、そのひとつは、前記レーキアームに縦設された支柱と、前記支持アームに備えられ、前記支柱を把持してレーキアームと支持アームとを連結固定するチャック機構と、押下ローラが可動ガイドのガイド面を転動する間、前記チャック機構を駆動させるチャック駆動機構とから成るものである。
大型のスカム回収機構の場合には、押圧部材によってスカム回収機構を押してスカム流入口を傾けるために大きな力が必要となるため、押下ローラが可動ガイドを転動するときにスカム回収機構からの抵抗を受けて支持アーム用フロートとともに押し戻されるおそれがある。しかしながら、この実施態様によれば、押下ローラが可動ガイドのガイド面上を転動する間、押下ローラの上下位置が固定されるので、可動ガイドを押し下げた状態でガイド面上を安定して転動可能となるため、大型のスカム回収機構であっても、押下ローラは押し戻されることがなく、押圧部材を介してスカム流入口が傾く。
【発明の効果】
【００１４】
この発明によると、沈殿池の水位の変動した場合には、堰用フロートの浮力を受けてスカム回収機構のスカム流入口の高さ位置が沈殿池の水位の変動に追随して上下に変位するから、スカム流入口は常に水面に対して上方の同じ高さ位置に保たれる。しかも、押下ローラも支持アームに取り付けられた支持アーム用フロートの浮力を受けて同じように水位の変動に追随して上下に変位するから、スカム回収機構が押圧部材を介して押下ローラにより押し下げられる変位が一定に保たれ、スカム流入口に流入するスカムおよび水の量が一定に保たれる。
【発明を実施するための最良の形態】
【００１５】
図１および図２は、この発明の一実施例であるスカム回収装置１を下水処理施設における最終処理工程の沈殿池に設置した例を示す。なお、この発明のスカム回収装置は、下水処理施設の沈殿池に限らず、汚泥処理施設などの他の沈殿池にも適用できる。
【００１６】
図示例の沈殿池１００は、平面形状が円形であり、沈殿池１００の池底１００ａは中心に向かって低く傾斜する傾斜面になっている。池底１００ａの中心位置には、上方へ突出する筒状部２が形成されている。この筒状部２の内部には、固形物などが除去された後の処理前の汚水（以下「原水」という。）Ｗ0を沈殿池１へ流入するための流入管３が貫通しており、原水Ｗ0は前記流入管３の上端部の出口から沈殿池１００に分散して供給される。
また、沈殿池１００の池底１００ａには、筒状部２の外周沿いに汚泥Ｍを集積するための環状溝４が形成されており、この環状溝４に汚泥Ｍを外部に引き抜くための引抜管５が連通させてある。
【００１７】
沈殿池１００の外周壁の上部位置には、沈殿池１００を一周する水路６が形成されている。この水路６には、原水Ｗ0からスカムを除去した後の処理水Ｗが流入する。水路６内へ流入した処理水Ｗは、引抜管９により外部へ引き抜かれる。水路６の内側にはスカム流入防止板７が取り付けられてあり、このスカム流入防止板７によって沈殿池１００の水面付近に浮遊するスカムが水路６に流入するのを阻止している。なお、図１において、８は沈殿池１００の上方に架設された橋である。
【００１８】
沈殿池１００の中心位置には、モータ１１を駆動源とする回転駆動機構１０が設けられている。前記モータ１１は、筒状部２に固定された円盤状の取付基板１２上に設置されている。このモータ１１のモータ軸は取付基板１２を貫通して下方へ突出し、この突出部分に図示しないピニオンギヤが装着されている。前記回転駆動機構１０は、前記筒状部２の外周を囲むように配備された回転枠１３と、この回転枠１３の上端に連結された回転リング１４とを含んでいる。この回転リング１４の内周面は前記ピニオンギヤと噛み合う内歯車に形成されており、ピニオンギヤが回転すると、これと連動して回転リング１４が回転し、回転枠１３が図１の矢印ａ方向へ回転する。
【００１９】
前記回転枠１３の外周面の下部には、トラス形の構体から成る一対のレーキアーム１５Ａ，１５Ｂが径方向に突設されている。各レーキアーム１５Ａ，１５Ｂには、池底１００ａを摺動して池底１００ａに堆積した汚泥Ｍを前記環状溝４に掻き集める汚泥掻取用のブレード１６と、前記環状溝４内を周回して汚泥Ｍを集める羽根板１７とが設けられている。環状溝４は引抜管５に連通させており、この引抜管５によって環状溝４内で集められた汚泥Ｍが外部へ引き抜かれる。
【００２０】
沈殿池１００の水面ｈの付近に浮遊するスカムは、この発明のスカム回収装置１によって掻き寄せられ、スカム回収機構４０に回収される。前記スカム回収装置１は、図３および図４に示すように、上記した回転駆動機構１０の回転枠１３と一体に回動して水面ｈに沿って沈殿池１００内を周回する支持アーム２０と、水面ｈに沿って前記支持アーム２０と一体に周回する掻寄板２１と、掻寄板２１により掻き寄せられたスカムを導入するためのスカム流入口４１を有するスカム回収機構４０と、スカム回収機構４０の上方位置に上下動可能に支持されている可動ガイド５０とを備えている。
【００２１】
前記支持アーム２０は、その基端部が前記回転枠１３に連結固定され、前記レーキアーム１５Ａと同期して沈殿池１００内を図３の矢印ａ方向へ旋回し、沈殿池１００の中央部分に浮遊するスカムを掻き寄せて外周方向へ導く。支持アーム２０と、支持アーム２０に一体化された補助アーム２９は基端部が前記回転枠１３に自在継手３０ａ，３０ｂを介して連結されており、これにより支持アーム２０の先端部が基端部を支点として上下方向に傾動可能となっている。
【００２２】
支持アーム２０の先端部には、掻寄板２１の進行方向の前方位置に押下ローラ２２が取り付けられている。この押下ローラ２２は、後述するスカム回収機構４０の上部に取り付けられた可動ガイド５０のガイド面５１上に乗り上げて転動することにより、可動ガイド５０を一定期間、押し下げるようになっている。
【００２３】
前記押下ローラ２２は調節ボルト２５によって、その設定位置を予め調節することができる。この調節ボルト２５によって押下ローラ２２の設定位置を高低させることで、押下ローラ２２により可動ガイド５０を押し下げる量を調節することができ、これにより、後述するように堰用フロート４７を押圧部材５２によって押し下げる量を調節することが可能となる。
【００２４】
支持アーム２０には、中央部から先端部にかけて、中空の支持アーム用フロート２３が設けられている。この支持アーム用フロート２３の浮力を受けて、支持アーム２０は、図５（１）に示すように、その先端部が常に水面ｈ上に保持されるとともに、水位の変動に応じて前記押下ローラ２２の高さ位置が調節されるようになっている。つまり、沈殿池１００の水面ｈが上昇すると、支持アーム２０は、図５（２）に示すように、基端部を支点として先端部が高くなるように傾き、押下ローラ２２の高さ位置が上方に変位する。沈殿池１００の水面ｈが下降すると、支持アーム２０は、図５（３）に示すように、基端部を支点として先端部が低くなるように傾き、押下ローラ２２の高さ位置が下方に変位する。
【００２５】
前記掻寄板２１は、前記支持アーム用フロート２３に取り付けられた基体２６と、この基体２６の下面に吊持部材２７を介して吊持されたゴム製の板状片２８とから成る。この掻寄板２１は、水面ｈに沿って前記支持アーム２０と一体に沈殿池１００内を周回する。支持アーム２０により掻き寄せられたスカムはスカム回収機構４０へと導かれる。
【００２６】
前記回収機構４０は、沈殿池１００の外周壁に設置されたブラケット１８により沈殿池１００内に設置されている。スカム回収機構４０は、図３、図４および図６に示すように、上面にスカムを回収するためのスカム流入口４１が上方に向けて開口されたスカム回収ボックス４２と、スカム回収ボックス４２の下部に位置するスカム排出口４２ａに蛇腹構造の可撓管４３を介して接続されたスカム流出管４４とを備えたものである。前記スカム流出管４４はスカムを沈殿池１００より排出するためのもので、沈殿池１００の外周壁を貫通して沈殿池１００の外部へ導かれている。前記可撓管４３はスカム回収ボックス４２が傾動することが可能なようにスカム流出管４４との間に介装されたものである。
【００２７】
前記スカム回収ボックス４２は中央位置に、支え軸４５が一体に設けられている。前記支え軸４５の両端部はブラケット１８に固定された軸受４６，４６に回動自由に支持され、これによりスカム回収ボックス４２が揺動可能となっている。スカム回収ボックス４２が支え軸４５を中心に前動したとき、スカム流入口４１の前端側（スカム流入側の端部であって、この実施例では堰用フロート４７の上端）が下がって水面下に没する。
【００２８】
スカム回収ボックス４２の上部位置には、中空の堰用フロート４７が取り付けられている。この堰用フロート４７の浮力により、スカム流入口４１の前端側は支え軸４５を中心に傾動し、図７（１）、図７（２）および図７（３）に示すように、沈殿池１００の水位が変動しても常に水面ｈより高い位置に位置している。なお、図中、４８はバランスウェイトである。
【００２９】
なお、沈殿池１００の水位の変動がさほど大きくない場合には、堰用フロート４７を取り付けず、バランスウェイト４８のみでスカム流入口４１の高さ位置を水面ｈ上に保つように構成してもよい。
【００３０】
スカム回収機構４０は、前記掻寄板２１が通過する周回軌道上に配置される。スカム流入口４１は、スカムを回収しないときは、真上を向いて水面ｈより高い位置に位置し、水が入らないようになっているが、スカムを回収するときは、詳細は後述するが、スカム流入口４１が掻寄板２１が進行してくる方向を向くように傾いてその流入側の端部が水面下に没するので、スカムを呑み込めるようになる。このようにスカム流入口４１の姿勢を変化させるために、前記スカム回収機構４０の上方位置に、下方へ突き出た押圧部材５２を有する可動ガイド５０を上下動可能に配備して、スカム回収ボックス４２を傾動可能な構成としている。
【００３１】
前記可動ガイド５０は、図６に示すように、その上面が前記押下ローラ２２の通過路に沿うガイド面５１となっており、ブラケット１８に支持された前後および左右の４本のリンク機構５３，５３により、前記ガイド面５１が水平を保った状態で前記スカム回収機構４０の上方位置に上下動可能に支持されている。なお、図中、５４は各リンク５３を起立方向に付勢するスプリングである。可動ガイド５０の下面には、スカム回収ボックス４２に備えられた堰用フロート４７を上方より押してスカム流入口４１を掻寄板２１が進行してくる方向に傾ける押圧部材５２が下向きに設けられている。  図示の押圧部材５２は左右の脚部５２ｂ，５２ｂの下端に押付ローラ５２ａを回動自由に支持したものである。
【００３２】
可動ガイド５０は、掻寄板２１が接近していないときには、図８（１）に示すように、前記押圧部材５２が堰用フロート４７とは当接しない上方の待機位置に維持され、スカム流入口４１のスカム流入側の端部は水面ｈより高い位置に位置している。掻寄板２１が接近し、スカム流入口４１の手前位置に来るとき、図８（２）に示すように、押下ローラ２２は可動ローラ５０のガイド面５１上に乗り上げて、可動ガイド５０を押圧し、その後、ガイド面５１上を転動する。押下ローラ２２がガイド面５１上を転動する期間は、可動ガイド５０が押し下げられた状態となるので、押圧部材５２が堰用フロート４７を上方より押圧する。これにより、スカム回収ボックス４２が掻寄板２１が進行してくる方向を向くように支え軸４５を中心に傾動し、スカム流入口４１のスカム流入側の端部が水面ｈ下に没する。スカム流入側の端部が水面ｈ下に没すると、水およびスカムがスカム回収ボックス４２に向かう流れが生じ、スカムはスカム回収ボックス４２に流れ込む。さらに、スカム回収ボックス４２掻寄板２１がスカム回収ボックス４２に接近するにつれて、スカムが前記スカム流入口４１からスカム回収ボックス４２内に掻き込まれる。
【００３３】
掻寄板２１がスカム流入口４１に到達したときには、前記押下ローラ２２が可動ガイド５０のガイド面５１上から転落するため、可動ガイド５０は、スプリング５４，５４の復元力によって、図８（３）に示すように、再び押圧部材５２が堰用フロート４７とは当接しない上方の待機位置に復帰する。これにより、堰用フロート４７は押圧部材５２による押圧力より解放されるので、スカム回収ボックス４２は元の状態に復帰し、スカム流入口４１のスカム流入側の端部が水面ｈより高い位置に戻る。
【００３４】
可動ガイド５０のガイド面５１の長さは、スカム回収ボックス４２を傾いた状態に維持する時間長さ、すなわち、スカムの回収が可能な時間長さに相応するもので、スカムの回収量が多い沈殿池の場合は、ガイド面５１を長くすれば、スカムの回収時間を長く設定できる。スカムの回収量が少ない沈殿池の場合は、ガイド面５１を短くすれば、スカムの回収時間を短く設定できる。
【００３５】
この実施例のスカム回収装置１は、上記した構成に加えて、前記レーキアーム１５Ａと前記押下ローラ２２との間に、押下ローラ２２が前記可動ガイド５０を押し下げるときに押し戻されないようにするためのロック機構６０を備えている。
【００３６】
前記ロック機構６０は、図４および図９に示すように、前記レーキアーム１５Ａに縦設された支柱６１と、支柱６１の外周面を把持することが可能な一対の把持部材６４Ａ，６４Ｂをもつチャック機構６２と、前記押下ローラ２２が可動ガイド５０のガイド面５１上を転動する間、チャック機構６２を駆動させるチャック駆動機構７０とから成る。
【００３７】
前記の各把持部材６４Ａ，６４Ｂは、互いに対向する面が支柱６１の外周面に沿う凹曲面の把持面となっており、それぞれの基端部は基板６７上に突設された支軸６８Ａ，６８Ｂに回動自由に支持されている。前記基板６７は、前記支持アーム用フロート２３の前端部に一体に取り付けられており、前記支柱６１は基板６７に形成された貫通孔７２を貫通して基板６７上に突出している。貫通孔７２は支柱６１の外径より十分に大きな直径に形成されているので、支柱６１は貫通孔７２によって拘束されることはない。
【００３８】
前記チャック駆動機構７０は、一方の把持部材６４Ｂと一連に形成されている駆動板７１と、各把部部材６４Ａ，６４Ｂの基端部の下面に一体に装着されたギア６３Ａ，６３Ｂと、一方の把持部材６４Ｂを他方の把持部材６４Ｂから離れる方向へ付勢するコイルバネ６５とを備えている。各ギア６３Ａ，６３Ｂは互いに噛み合っており、一方の把持部材６４Ｂが他方の把持部材６４Ａに近づく方向へ回動するとき、その回転力がギア６３Ａ，６３Ｂを介して他方の把持部材６４Ａに伝達される。その結果、把持部材６４Ａは把持部材６４Ｂと逆方向、すなわち、把持部材６４Ｂに近づく方向へ回動し、支柱６１は対向する把持部材６４Ａ，６４Ｂ間で把持される。
【００３９】
前記駆動板７１の先端にはガイドローラ６６が設けられている。このガイドローラ６６は、沈殿池１００の適所に設置された垂直なガイド板１０２上に乗り上がって転動する。前記ガイド板１０２は、前記押下ローラ２２が可動ガイド５０のガイド面５１上を転動するときに、ガイドローラ６６がガイド板１０２上に乗り上がるようにその設置場所と長さとが設定されている。
【００４０】
ガイドローラ６６がガイド板１０２上に乗り上がった状態では駆動板７１の先端側が押される結果、駆動板７１と一体の把持部材６４Ｂが他方の把持部材６４Ａに近づいた状態、すなわち、図９（１）に示す支柱６１を拘束した状態となる。一方、ガイドローラ６６がガイド板１０２上に乗り上がっていない状態では、駆動板７１の先端側への押圧が解除されて把持部材６４Ｂにコイルバネ６５の引張力が作用する結果、把持部材６４Ｂが他方の把持部材６４Ａから離れた状態、すなわち、図９（２）に示す支柱６１を解放した状態となる。
【００４１】
上記構成のロック機構６０によれば、支持アーム２０の周回に伴って押下ローラ２２が前記可動ガイド５０のガイド面５１上を転動するとき、図９（１）に示すように、ガイドローラ６６がガイド板１０２上に乗り上がって転動することにより、把持部材６４Ｂが支軸６８Ｂを中心に同図の矢印ａの方向へ回動する。把持部材６４Ｂが矢印ａの方向へ回動すると、これに連動して把持部材６４Ａが同図の矢印ｂ方向へ回動するため、支柱６１が把持部材６４Ａ，６４Ｂにより把持される。これにより、支持アーム２０はレーキアーム１５Ａに一体に連結固定され、押下ローラ２２の上下の変位が規制されるので、押下ローラ２２は、可動ガイド５０により押し戻されることなく可動ガイド５０を押し下げた状態でガイド面５１上を安定して転動する。
【００４２】
上記したロック機構６０を組み込むことによって、たとえ大型のスカム回収機構４０であっても、押下ローラ２２が押し戻されて可動ガイド５０から浮き上がることがなく、押圧部材５２を介してスカム流入口４１を傾動させることができる。
【００４３】
押下ローラ２２が前記ガイド面５１上から転落して離れたときは、図９（２）に示すように、コイルバネ６５の復元力により把持部材６４Ｂが支軸６８Ｂを中心に同図の矢印ｃの方向に回動する。把持部材６４Ｂが矢印ｃの方向へ回動すると、これに連動して把持部材６４Ａが同図の矢印ｄ方向へ回動するため、支柱６１が把持部材６４Ａ，６４Ｂから解放される。これにより、支持アーム２０とレーキアーム１５Ａとの一体連結が外れるので、支持アーム２０は沈殿池１００の水位に応じて上下に変動可能となる。
【００４４】
上記した構成のスカム回収装置１において、沈殿池１００内を支持アーム２０が周回すると、掻寄板２１が支持アーム２０と一体に水面ｈ上を周回して沈殿池１００の水面ｈ付近に浮遊するスカムを掻き寄せる。掻寄板２１がスカム回収機構４０のスカム流入口４１の手前位置に達すると、掻寄板２１の前方位置に設けられた押下ローラ２２が可動ガイド５０のガイド面５１上に乗り上がって可動ガイド５０を下方へ押し下げ、その状態でガイド面５１上を転動する。可動ガイド５０が押し下げられると、それに連動して、可動ガイド５０に設けられた押圧部材５２が堰用フロート４７を下方へ押し付けるので、スカム回収ボックス４２が傾動してスカム流入口４１は掻寄板２１が進行してくる方向を向く。これにより、スカム流入口４１のスカム流入側の端部が水面ｈ下に没するので、掻寄板２１により掻き寄せられたスカムが水とともにスカム流入口４１からスカム回収ボックス４２に流入して排出される。
【００４５】
その後、掻寄板２１がスカム流入口４１に到達すると、押下ローラ２２が可動ガイド５０上から転落し、可動ガイド５０はスプリング５４の復元力により元の位置まで上昇する。これにより、押圧部材５２による堰用フロート４７への押圧力が解除されるので、スカム回収ボックス４２が元の状態に復帰し、スカム流入口４１が上方を向くので、スカム流入口４１への水の流入が阻止される。
【００４６】
上記した構成のスカム回収装置１において、沈殿池１００の水位が上昇または下降した場合、堰用フロート４７の浮力によりスカム回収機構４０のスカム流入口４１の高さ位置が沈殿池１００の水位の変動に追随して上下に変位することで、スカム流入口４１は常に水面ｈに対して上方位置に保たれる。一方、支持アーム２０に取り付けられた支持アーム用フロート２３の浮力により、押下ローラ２２は水位の変動に追随して上下に変位するので、押下ローラ２２の水面ｈからの位置は一定に保たれる。従って、押下ローラ２２によってスカム流入口４１の流入側の端部が水面ｈ下に没する深さがほぼ一定に保たれ、スカム流入口４１に流入するスカムおよび水の量が一定に保たれる。
【図面の簡単な説明】
【００４７】
【図１】この発明の一実施例であるスカム回収装置を下水処理施設の沈澱池に設置した例を示す平面図である。
【図２】図１の実施例の縦断面図である。
【図３】沈澱池の外周部分を拡大して示す平面図である。
【図４】沈澱池の外周部分を拡大して示す縦断面図である。
【図５】沈殿池の水位の変動に対する支持アームの動作を示す説明図である。
【図６】スカム回収機構の構成を示す正面図である。
【図７】沈殿池の水位の変動に対するスカム回収ボックスの動作を示す説明図である。
【図８】スカム回収機構の動作を示す説明図である。
【図９】ロック機構の構成および動作を示す平面図である。
【符号の説明】
【００４８】
１    スカム回収装置
１５Ａ，１５Ｂ  レーキアーム
２０  支持アーム
２１  掻寄板
２２  押下ローラ
２３  支持アーム用フロート
４０  スカム回収機構
４１  スカム流入口
４２  スカム回収ボックス
４７  堰用フロート
４８  バランスウェイト
５０  可動ガイド
５１  ガイド面
５２  押圧部材
５３  リンク機構
６０  ロック機構
６１  支柱
６２  チャック機構
７０  チャック駆動機構
１００  沈殿池
【図１】
2008049224.tif 000003
【図２】
2008049224.tif 000004
【図３】
2008049224.tif 000005
【図４】
2008049224.tif 000006
【図５】
2008049224.tif 000007
【図６】
2008049224.tif 000008
【図７】
2008049224.tif 000009
【図８】
2008049224.tif 000010
【図９】
2008049224.tif 000011
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
沈殿池内の水面上を周回する掻寄板により沈殿池の水面付近に浮遊するスカムを掻き寄せて掻寄板の通過路上に配置されたスカム流入口へ導入するようにしたスカム回収装置において、
沈殿池内を周回する支持アームと、
前記支持アームのその進行方向の後方位置に支持アームと一体に設けられた掻寄板と、
上方を向きかつ平時は水面上に保持されるスカム流入口を有し、掻寄板が進行してくる方向へ前記スカム流入口が向くように傾動可能に支持されたスカム回収機構と、
前記支持アームに取り付けられ、支持アームの先端部を沈殿池の水位の変動に応じて上下に変位させる支持アーム用フロートと、
水平なガイド面と下方へ突き出た押圧部材とを有し、前記スカム回収機構の上方にリンク機構を介して前記ガイド面が水平を保った状態で上下動可能に支持される可動ガイドと、
前記掻寄板のその進行方向の前方位置に、沈殿池の水位に追随する前記支持アームの先端部によって支持され、前記押圧部材によりスカム回収機構が押されて傾動するまで前記可動ガイドを押し下げた状態でガイド面上を転動する押下ローラとを備えており、
前記可動ガイドは、掻寄板がスカム流入口の手前位置に来たときスカム回収機構が傾動し、スカム流入口に到達したときスカム回収機構が元の状態に復帰するようにガイド面の長さが設定されて成るスカム回収装置。
【請求項２】
前記スカム回収機構には、バランスウェイトが取り付けられており、前記スカム流入口の高さ位置は、前記バランスウェイトにより水面上に保持されている請求項１に記載されたスカム回収装置。
【請求項３】
前記スカム回収機構には、前記スカム流入口の高さ位置を沈殿池の水位の変動に応じて上下に変位させる堰用フロートが取り付けられている請求項１または２に記載されたスカム回収装置。
【手続補正２】
【補正対象書類名】明細書
【補正対象項目名】０００７
【補正方法】変更
【補正の内容】
【０００７】
この発明によるスカム回収装置は、沈殿池内の水面上を周回する掻寄板により沈殿池の水面付近に浮遊するスカムを掻き寄せて掻寄板の通過路上に配置されたスカム流入口へ導入するようにしたものである。
このスカム回収装置は、沈殿池内を周回する支持アームと、前記支持アームのその進行方向の後方位置に支持アームと一体に設けられた掻寄板と、上方を向きかつ平時は水面上に保持されるスカム流入口を有し、掻寄板が進行してくる方向へ前記スカム流入口が向くように傾動可能に支持されたスカム回収機構と、前記支持アームに取り付けられ、支持アームの先端部を沈殿池の水位の変動に応じて上下に変位させる支持アーム用フロートと、水平なガイド面と下方へ突き出た押圧部材とを有し、前記スカム回収機構の上方にリンク機構を介して前記ガイド面が水平を保った状態で上下動可能に支持される可動ガイドと、前記掻寄板のその進行方向の前方位置に、沈殿池の水位に追随する前記支持アームの先端部によって支持され、前記押圧部材によりスカム回収機構が押されて傾動するまで前記可動ガイドを押し下げた状態でガイド面上を転動する押下ローラとを備えている。前記可動ガイドは、掻寄板がスカム流入口の手前位置に来たときスカム回収機構が傾動し、スカム流入口に到達したときスカム回収機構が元の状態に復帰するようにガイド面の長さが設定されている。
【手続補正３】
【補正対象書類名】明細書
【補正対象項目名】０００８
【補正方法】変更
【補正の内容】
【０００８】
この発明の上記した構成において、「スカム回収機構」は、一般的に「スカムスキマ」と呼ばれるスカム回収用の樋状体から成るが、必ずしもそのような形態のものに限られない。スカム回収機構のスカム流入口は、例えば、スカム回収機構にバランスウェイトを取り付けることにより、上方を向き、かつその高さ位置が平時は水面上に保持され、これにより、水およびスカムはスカム回収機構でせき止められる。
【手続補正４】
【補正対象書類名】明細書
【補正対象項目名】０００９
【補正方法】変更
【補正の内容】
【０００９】
この発明の好ましい実施態様においては、前記スカム回収機構には、前記スカム流入口の高さ位置を沈殿池の水位の変動に応じて上下に変位させる堰用フロートが取り付けられている。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００４２
【補正方法】変更
【補正の内容】
【００４２】
大型のスカム回収機構４０の場合には、押圧部材５２によってスカム回収機構４０を押してスカム流入口４１を傾けるために大きな力が必要となるため、押下ローラ２２が可動ガイド５０を転動するときにスカム回収機構４０からの抵抗を受けて支持アーム用フロート２３とともに押し戻されるおそれがある。しかしながら、上記したロック機構６０を組み込むことによって、押下ローラ２２が可動ガイド５０のガイド面５１上を転動する間、押下ローラ２２の上下位置が固定されるので、たとえ大型のスカム回収機構４０であっても、押下ローラ２２が押し戻されて可動ガイド５０から浮き上がることがなく、押圧部材５２を介してスカム流入口４１を傾動させることができる。
【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
沈殿池内の水面上を周回する掻寄板により沈殿池の水面付近に浮遊するスカムを掻き寄せて掻寄板の通過路上に配置されたスカム流入口へ導入するようにしたスカム回収装置において、
沈殿池内を周回する支持アームと、
前記支持アームのその進行方向の後方位置に支持アームと一体に設けられた掻寄板と、
上方を向くスカム流入口およびスカム流入口の前端側に設けられかつ平時は水面上に保持される堰を有し、掻寄板が進行してくる方向へ前記スカム流入口が向くように傾動可能に支持されたスカム回収ボックスと、
前記支持アームに取り付けられ、支持アームの先端部を沈殿池の水位の変動に応じて上下に変位させる支持アーム用フロートと、
上面に水平なガイド面、下面に下方へ突き出る押圧部材を有し、前記スカム回収ボックスの上方にリンク機構を介して前記ガイド面が水平を保った状態で上下動可能に支持される可動ガイドと、
前記掻寄板のその進行方向の前方位置に前記支持アームの先端部によって支持され、前記押圧部材により前記堰が上方から押されてスカム回収ボックスが傾動するまで前記可動ガイドを押し下げた状態でガイド面上を転動する押下ローラと、
前記リンク機構が起立する方向へ付勢して可動ガイドを元の状態に復帰させるスプリングとを備えており、
前記可動ガイドは、掻寄板がスカム流入口の手前位置に来たときスカム回収ボックスが傾動し、スカム流入口に到達したときスカム回収ボックスが元の状態に復帰するようにガイド面の長さが設定されて成るスカム回収装置。
【請求項２】
前記スカム回収ボックスには、バランスウェイトが取り付けられており、前記スカム流入口の高さ位置は、前記バランスウェイトにより水面上に保持されている請求項１に記載されたスカム回収装置。
【請求項３】
前記堰は、その高さ位置が沈殿池の水位の変動に応じて上下に変位するようにフロートにより形成されている請求項１または２に記載されたスカム回収装置。
【手続補正２】
【補正対象書類名】明細書
【補正対象項目名】０００７
【補正方法】変更
【補正の内容】
【０００７】
この発明によるスカム回収装置は、沈殿池内の水面上を周回する掻寄板により沈殿池の水面付近に浮遊するスカムを掻き寄せて掻寄板の通過路上に配置されたスカム流入口へ導入するようにしたものである。このスカム回収装置は、沈殿池内を周回する支持アームと、前記支持アームのその進行方向の後方位置に支持アームと一体に設けられた掻寄板と、上方を向くスカム流入口およびスカム流入口の前端側に設けられかつ平時は水面上に保持される堰を有し、掻寄板が進行してくる方向へ前記スカム流入口が向くように傾動可能に支持されたスカム回収ボックスと、前記支持アームに取り付けられ、支持アームの先端部を沈殿池の水位の変動に応じて上下に変位させる支持アーム用フロートと、上面に水平なガイド面、下面に下方へ突き出る押圧部材を有し、前記スカム回収ボックスの上方にリンク機構を介して前記ガイド面が水平を保った状態で上下動可能に支持される可動ガイドと、前記掻寄板のその進行方向の前方位置に前記支持アームの先端部によって支持され、前記押圧部材により前記堰が上方から押されてスカム回収ボックスが傾動するまで前記可動ガイドを押し下げた状態でガイド面上を転動する押下ローラと、前記リンク機構が起立する方向へ付勢して可動ガイドを元の状態に復帰させるスプリングとを備えている。前記可動ガイドは、掻寄板がスカム流入口の手前位置に来たときスカム回収ボックスが傾動し、スカム流入口に到達したときスカム回収ボックスが元の状態に復帰するようにガイド面の長さが設定されている。
【手続補正３】
【補正対象書類名】明細書
【補正対象項目名】０００８
【補正方法】変更
【補正の内容】
【０００８】
この発明の上記した構成において、「スカム回収ボックス」は、一般的に「スカムスキマ」と呼ばれるスカム回収用の樋状体から成るが、必ずしもそのような形態のものに限られない。スカム回収ボックスのスカム流入口は、例えば、スカム回収ボックスにバランスウェイトを取り付けることにより、堰が平時は水面上に保たれ、これにより、スカム流入口の高さ位置が水面に対して上方位置に保持されるため、水およびスカムのスカム流入口への流入が阻止される。また、この発明の好ましい実施態様においては、前記堰は、その高さ位置が沈殿池の水位の変動に応じて上下に変位するようにフロートにより形成されている。この実施態様によれば、沈殿池の水位が大きく上昇または下降して変化した場合でも、堰の浮力によりスカム回収ボックスのスカム流入口の高さ位置が沈殿池の水位の変動に追随して上下に変位するので、スカム流入口は平時は常に水面に対して上方位置に保たれる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
この実施態様によるスカム回収装置において、沈殿池内を支持アームと掻寄板が一体に水面上を周回すると、沈殿池の水面付近に浮遊するスカムは支持アームによって外周の掻寄板に導かれる。掻寄板がスカム回収ボックスのスカム流入口の手前位置に達すると、掻寄板の前方位置に設けられた押下ローラが可動ガイドの上面のガイド面上を転動して可動ガイドを下方に押し下げる。可動ガイドが押し下げられると、それに連動して、可動ガイドの下面から突き出る押圧部材がスカム回収ボックスに備えられた堰を下方へ押し付けて、スカム回収ボックスを掻寄板が進行してくる方向に向けて傾動させる。これにより、スカム流入口のスカム流入側の端部が水面下に没するので、掻寄板前方に掻き寄せられたスカムは水とともにスカム流入口に流入してスカム回収ボックスに回収される。その後、掻寄板がスカム流入口に到達すると、押下ローラが可動ガイドのガイド面上から転落し、可動ガイドがスプリングの付勢力により元の高さ位置まで上昇する。これにより、スカム回収ボックスは、押圧部材による押圧力から解放されるので、元の状態に復帰し、スカム流入口への水の流入が阻止される。
【手続補正６】
【補正対象書類名】明細書
【補正対象項目名】００１１
【補正方法】変更
【補正の内容】
【００１１】
このスカム回収装置によれば、沈殿池の水位が上昇または下降して変化した場合でも、例えばフロートにより形成された堰の浮力によりスカム回収ボックスのスカム流入口の高さ位置が沈殿池の水位の変動に追随して上下に変位するので、スカム流入口は平時は常に水面に対して上方位置に保たれる。一方、押下ローラは支持アームに取り付けられた支持アーム用フロートの浮力により水位の変動に追随して上下に変位するので、押下ローラによってスカム流入口の流入側の端部の水面下に没する深さがほぼ一定に保たれる。従って、スカム流入口に流入するスカムおよび水の量を一定に保つことができる。
【手続補正７】
【補正対象書類名】明細書
【補正対象項目名】００１４
【補正方法】変更
【補正の内容】
【００１４】
この発明によると、沈殿池の水位の変動した場合には、押下ローラは支持アームに取り付けられた支持アーム用フロートの浮力を受けて沈殿池の水位の変動に追随して上下に変位するから、スカム回収ボックスが押圧部材を介して押下ローラにより押し下げられる変位が一定に保たれ、スカム流入口に流入するスカムおよび水の量を一定に保つことができる。しかも、堰をフロートにより形成すれば、沈殿池の水位が大きく変化した場合でも、堰の浮力を受けてスカム回収ボックスのスカム流入口の高さ位置が沈殿池の水位の変動に追随して上下に変位するから、スカム流入口は平時は常に水面に対して上方の同じ高さ位置に保持できる。
【手続補正８】
【補正対象書類名】明細書
【補正対象項目名】００２０
【補正方法】変更
【補正の内容】
【００２０】
沈殿池１００の水面ｈの付近に浮遊するスカムは、この発明のスカム回収装置１によって掻き寄せられ、スカム回収機構４０のスカム回収ボックス４２に回収される。前記スカム回収装置１は、図３および図４に示すように、上記した回転駆動機構１０の回転枠１３と一体に回動して水面ｈに沿って沈殿池１００内を周回する支持アーム２０と、水面ｈに沿って前記支持アーム２０と一体に周回する掻寄板２１と、掻寄板２１により掻き寄せられたスカムを導入するためのスカム流入口４１を有するスカム回収ボックス４２と、スカム回収ボックス４２の上方位置に上下動可能に支持されている可動ガイド５０とを備えている。
【手続補正９】
【補正対象書類名】明細書
【補正対象項目名】００２２
【補正方法】変更
【補正の内容】
【００２２】
支持アーム２０の先端部には、掻寄板２１の進行方向の前方位置に押下ローラ２２が取り付けられている。この押下ローラ２２は、スカム回収ボックス４２の上方に取り付けられた可動ガイド５０のガイド面５１上に乗り上げて転動することにより、可動ガイド５０を一定期間、押し下げるようになっている。
【手続補正１０】
【補正対象書類名】明細書
【補正対象項目名】００２６
【補正方法】変更
【補正の内容】
【００２６】
前記スカム回収機構４０は、沈殿池１００の外周壁に設置されたブラケット１８により沈殿池１００内に設置されている。スカム回収機構４０は、図３、図４および図６に示すように、上面にスカムを回収するためのスカム流入口４１が上方に向けて開口されたスカム回収ボックス４２と、スカム回収ボックス４２の下部に位置するスカム排出口４２ａに蛇腹構造の可撓管４３を介して接続されたスカム流出管４４とを備えたものである。スカム流出管４４はスカムを沈殿池１００より排出するためのもので、沈殿池１００の外周壁を貫通して沈殿池１００の外部へ導かれている。可撓管４３はスカム回収ボックス４２が傾動することが可能なようにスカム流出管４４との間に介装されたものである。
【手続補正１１】
【補正対象書類名】明細書
【補正対象項目名】００２７
【補正方法】変更
【補正の内容】
【００２７】
前記スカム回収ボックス４２は中央位置に、支え軸４５が一体に設けられている。支え軸４５の両端部はブラケット１８に固定された軸受４６，４６に回動自由に支持され、これによりスカム回収ボックス４２が傾動可能となっている。スカム回収ボックス４２が支え軸４５を中心に前傾したとき、スカム流入口４１の前端側（スカム流入側の端部であって、この実施例では堰用フロート４７の上端）が下がって水面ｈ下に没する。
【手続補正１２】
【補正対象書類名】明細書
【補正対象項目名】００２８
【補正方法】変更
【補正の内容】
【００２８】
スカム回収ボックス４２のスカム流入口４１の前端側には、堰として機能する中空の堰用フロート４７が取り付けられている。この堰用フロート４７の浮力により、スカム回収ボックス４２は支え軸４５を中心に傾動し、図７（１）、図７（２）および図７（３）に示すように、スカム流入口４１のスカム流入側の端部（堰用フロート４７の上端）が沈殿池１００の水位が変動しても平時は常に水面ｈより高い位置に保持される。なお、図中、４８はバランスウェイトである。
【手続補正１３】
【補正対象書類名】明細書
【補正対象項目名】００２９
【補正方法】変更
【補正の内容】
【００２９】
なお、沈殿池１００の水位の変動がさほど大きくない場合には、堰用フロート４７を中空のフロート構造とする必要はなく、バランスウェイト４８のみでスカム流入口４１の高さ位置を水面ｈ上に保つように構成してもよい。
【手続補正１４】
【補正対象書類名】明細書
【補正対象項目名】００３０
【補正方法】変更
【補正の内容】
【００３０】
スカム回収ボックス４２は、前記掻寄板２１が通過する周回軌道上に配置される。スカム流入口４１は、スカムを回収しないときは、真上を向いて水面ｈより高い位置に位置し、水が入らないようになっているが、スカムを回収するときは、スカム流入口４１が掻寄板２１が進行してくる方向を向くように傾いてその流入側の端部が水面ｈ下に没するので、スカムを呑み込めるようになる。このようにスカム流入口４１の姿勢を変化させるために、スカム回収ボックス４２の上方位置に、下方へ突き出た押圧部材５２を有する可動ガイド５０を上下動可能に配備して、スカム回収ボックス４２を傾動可能な構成としている。
【手続補正１５】
【補正対象書類名】明細書
【補正対象項目名】００３１
【補正方法】変更
【補正の内容】
【００３１】
前記可動ガイド５０は、図６に示すように、その上面が前記押下ローラ２２の通過路に沿うガイド面５１となっており、ブラケット１８に支持された前後および左右の４本のリンク機構５３，５３により、前記ガイド面５１が水平を保った状態でスカム回収ボックス４２の上方位置に上下動可能に支持されている。なお、図中、５４は各リンク５３を起立方向に付勢するスプリングである。可動ガイド５０の下面には、スカム回収ボックス４２に備えられた堰用フロート４７を上方より押してスカム流入口４１を掻寄板２１が進行してくる方向に傾ける押圧部材５２が下向きに設けられている。図示の押圧部材５２は左右の脚部５２ｂ，５２ｂの下端に押付ローラ５２ａを回動自由に支持したものである。
【手続補正１６】
【補正対象書類名】明細書
【補正対象項目名】００４２
【補正方法】変更
【補正の内容】
【００４２】
大型のスカム回収ボックス４２の場合には、押圧部材５２によってスカム回収ボックス４２を押してスカム流入口４１を傾けるために大きな力が必要となるため、押下ローラ２２が可動ガイド５０を転動するときにスカム回収ボックス４２からの抵抗を受けて支持アーム用フロート２３とともに押し戻されるおそれがある。しかしながら、上記したロック機構６０を組み込むことによって、押下ローラ２２が可動ガイド５０のガイド面５１上を転動する間、押下ローラ２２の上下位置が固定されるので、たとえ大型のスカム回収ボックス４２であっても、押下ローラ２２が押し戻されて可動ガイド５０から浮き上がることがなく、押圧部材５２を介してスカム流入口４１を傾動させることができる。
【手続補正１７】
【補正対象書類名】明細書
【補正対象項目名】００４４
【補正方法】変更
【補正の内容】
【００４４】
上記した構成のスカム回収装置１において、沈殿池１００内を支持アーム２０が周回すると、掻寄板２１が支持アーム２０と一体に水面ｈ上を周回して沈殿池１００の水面ｈ付近に浮遊するスカムを掻き寄せる。掻寄板２１がスカム回収ボックス４２のスカム流入口４１の手前位置に達すると、掻寄板２１の前方位置に設けられた押下ローラ２２が可動ガイド５０のガイド面５１上に乗り上がって可動ガイド５０を下方へ押し下げ、その状態でガイド面５１上を転動する。可動ガイド５０が押し下げられると、それに連動して、可動ガイド５０に設けられた押圧部材５２が堰用フロート４７を下方へ押し付けるので、スカム回収ボックス４２が傾動してスカム流入口４１は掻寄板２１が進行してくる方向を向く。これにより、スカム流入口４１のスカム流入側の端部が水面ｈ下に没するので、掻寄板２１により掻き寄せられたスカムが水とともにスカム流入口４１からスカム回収ボックス４２に流入して排出される。
【手続補正１８】
【補正対象書類名】明細書
【補正対象項目名】００４６
【補正方法】変更
【補正の内容】
【００４６】
上記した構成のスカム回収装置１において、沈殿池１００の水位が上昇または下降した場合、堰用フロート４７の浮力によりスカム回収ボックス４２のスカム流入口４１の高さ位置が沈殿池１００の水位の変動に追随して上下に変位することで、スカム流入口４１は常に水面ｈに対して上方位置に保たれる。一方、支持アーム２０に取り付けられた支持アーム用フロート２３の浮力により、押下ローラ２２は水位の変動に追随して上下に変位するので、押下ローラ２２の水面ｈからの位置は一定に保たれる。従って、押下ローラ２２によってスカム流入口４１の流入側の端部が水面ｈ下に没する深さがほぼ一定に保たれ、スカム流入口４１に流入するスカムおよび水の量が一定に保たれる。